(57)【要約】【課題】携帯型電子機器の機能に制限が加わることなく使用することが可能な携帯型電子機器用カバーを提供する。【解決手段】携帯型電子機器用カバー１００は、スマートフォン２００を腕３００に着脱自在に取付けるためのものであって、スマートフォン２００を収容する収容部１１０と、収容部１１０を腕３００に着脱自在に取付けるためのバンド部１２０と、を備え、収容部１１０はバンド部１２０に対して起立した状態と倒れた状態との間で姿勢を変更可能である【選択図】図１
2019216352.tif 000002
【特許請求の範囲】
【請求項１】
携帯型電子機器を取付け対象に着脱自在に取付けるための携帯型電子機器用カバーであって、
携帯型電子機器を収容する収容部と、
前記収容部を取付け対象に着脱自在に取付けるためのバンド部と、
を備え、
前記収容部は前記バンド部に対して起立した状態と倒れた状態との間で姿勢を変更可能であることを特徴とする、携帯型電子機器用カバー。
【請求項２】
前記収容部を介して前記携帯型電子機器を操作可能であることを特徴とする、請求項１に記載の携帯型電子機器用カバー。
【請求項３】
前記収容部は倒れた状態で前記バンド部に固定されることを特徴とする、請求項１又は２に記載の携帯型電子機器用カバー。
【請求項４】
前記バンド部の端部には面ファスナーが設けられており、前記面ファスナーは前記バンド部の表面に接着することを特徴とする、請求項１〜３のうちのいずれかに記載の携帯型電子機器用カバー。
【発明の詳細な説明】
【技術分野】
【０００１】
本発明は、撮影機能を有する携帯型電子機器に用いられる携帯型電子機器用カバーに関する。
【背景技術】
【０００２】
スマートフォンなどのように、一方の面にカメラのレンズを備え、反対の面に撮影を操作する操作部を備えた携帯型電子機器が知られている。このような携帯型電子機器を海やプールなどの水中で使用する場合、携帯型電子機器を防水製の携帯型電子機器用カバーに入れて、腕や木の枝などに取付けて使用していた。なお、本明細書では、腕や木の枝などのような携帯型電子機器用カバーの取り付け先を取付け対象という。
【先行技術文献】
【非特許文献】
【０００３】
【非特許文献１】インターネット＜ＵＲＬ：https://goo.gl/z9Naeb＞
【発明の概要】
【発明が解決しようとする課題】
【０００４】
しかしながら、従来のような携帯型電子機器用カバーでは、例えば携帯型電子機器としてスマートフォンを腕に取付ける場合、スマートフォンの一方の面は腕に接するように取付けられる。このため、スマートフォンのキーパッドなどの操作部の操作ができるように、操作部を腕に接する面と反対側の面に配すると、カメラのレンズは腕と対面する側に配される。このため、携帯型電子機器用カバーを腕に取付けた状態では撮影することができず、撮影の際には腕から外さなければならないという問題があった。
【０００５】
そこで本発明は、このような問題に鑑みてなされたもので、その目的とするところは、腕などの取付け対象から取り外すことなく撮影することが可能な携帯型電子機器用カバーを提供することにある。
【課題を解決するための手段】
【０００６】
上記課題を解決するために、本発明によれば、携帯型電子機器を取付け対象に着脱自在に取付けるための携帯型電子機器用カバーであって、携帯型電子機器を収容する収容部と、前記収容部を取付け対象に着脱自在に取付けるためのバンド部と、を備え、前記収容部は前記バンド部に対して起立した状態と倒れた状態との間で姿勢を変更可能であることを特徴とする、携帯型電子機器用カバーが提供される。
【０００７】
かかる構成によれば、収容部に収容された携帯型電子機器の姿勢をバンド部に対して起立した状態と倒れた状態とに変更できるため、携帯型電子機器に所望の姿勢をとらせることができる。仮に、携帯型電子機器として一方の面にカメラのレンズを備え、反対の面に撮影を操作する操作部とを備えたスマートフォンを用いる場合、スマートフォンを収容部に収容すると、収容部の一方の面にはカメラのレンズが配置され、他方の面には操作部が配置される。よって、携帯型電子機器用カバーを取付け対象に取付けた場合、収容部のどちらか一方の面が取付け対象に接するように配置される。仮に、収容部が倒れた状態でスマートフォンの操作部が露出するように取付けると、通常のスマートフォンの操作を行うことができる。また、起立した状態だと、スマートフォンの操作部を露出させつつカメラのレンズも露出させることができるので、取付け対象に取付けたまま操作部を操作して撮影を行うことができる。このように、腕などの取付け対象から取り外すことなく撮影することが可能である。
【０００８】
本発明は様々な応用が可能である。以下の応用例は適宜組み合わせることが可能である。例えば、前記収容部を介して前記携帯型電子機器を操作可能としてもよい。収容部を介して携帯型電子機器を操作することができるため、携帯型電子機器の操作を容易に行うことができる。
【０００９】
また、前記収容部は倒れた状態で前記バンド部に固定されるようにしてもよい。かかる構成により、取付け対象を動かしても収容部の姿勢が変化することがないため、収容されている携帯型電子機器が何かにぶつかって破損したりすることが防止され、安心して使用することができる。
【００１０】
また、前記バンド部の端部には面ファスナーが設けられており、前記面ファスナーは前記バンド部の表面に接着するようにしてもよい。バンド部を面ファスナーで固定するため、バンド部の着脱が容易である。
【発明の効果】
【００１１】
本発明によれば、腕などの取付け対象から取り外すことなく撮影することが可能な携帯型電子機器用カバーを提供することが可能である。本発明のその他の効果については、後述する発明を実施するための形態においても説明する。
【図面の簡単な説明】
【００１２】
【図１】第１の実施形態の携帯型電子機器用カバー１００の全体図である。
【図２】携帯型電子機器用カバー１００を裏面側から見た図である。
【図３】収容部１１０の裏面を示す図である。
【図４】倒れた状態で腕に取付けられた携帯型電子機器用カバー１００を示す図である。
【図５】倒れた状態で腕に取付けられた携帯型電子機器用カバー１００を裏面側から見た図である。
【図６】腕に取付けられた携帯型電子機器用カバー１００が起立した状態を示す図であり、（ａ）は表側から見た図であり、（ｂ）は裏面側から見た図である。
【図７】第２の実施形態の携帯型電子機器用カバー４００の全体図である。
【図８】収容部４１０を裏面側から見た図である。
【図９】収容部にバンド部４２０を取付けた状態を裏面側から見た図である。
【発明を実施するための形態】
【００１３】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１４】
（第１の実施形態）
携帯型電子機器用カバー１００の構成について、図１及び図２を参照しながら説明する。図１は、本実施形態の携帯型電子機器用カバー１００の全体図である。図２は、携帯型電子機器用カバー１００を裏面側から見た図である。
【００１５】
携帯型電子機器用カバー１００は、図１及び図２に示したように、スマートフォン（携帯型電子機器）２００を腕（取付け対象）３００に着脱自在に取付けるためのものであって、スマートフォン２００を収容する収容部１１０と、収容部１１０を腕３００に着脱自在に取付けるためのバンド部１２０と、を備え、収容部１１０はバンド部１２０に対して起立した状態と倒れた状態との間で姿勢を変更可能であることを特徴とする。なお、起立した状態とは、収容部１１０の一方の側部がバンド部１２０から離間した状態であり、倒れた状態とは、収容部１１０の一方の側部がバンド部１２０に固定された状態である。また、本実施形態のスマートフォン２００は、一般的なスマートフォンである。すなわち、薄い方形の板状の外観をしており、板状の一方の面にカメラのレンズを備え、反対の面に撮影を操作する操作部を備えたものである。操作部は、撮影を操作する機能の他に、インターネットや電話などを操作する機能も備えている。以下、各構成要素について、詳述する。
【００１６】
（収容部１１０）
収容部１１０は、スマートフォン２００を収容するものである。収容部１１０は、図１及び図２に示したように、袋状に構成されており、上部が開閉である。スマートフォン２００は、上部から収容部１１０に収容される。収容部１１０は、ＰＶＣ素材で構成されている。収容部１１０の表面１１０ａは、図１に示したように、透明であり、スマートフォン２００の操作面２１０が露出して、収容部１１０を介してスマートフォン２００の操作が行えるようになっている。また、収容部１１０の裏面１１０ｂも、図２及び図３に示したように、透明であり、スマートフォン２００のカメラのレンズ２２０が露出し、撮影を行うことができるようになっている。なお、本実施形態では、収容部１１０の周囲に補強のための補強部１１６を設けたが、必ずしも設ける必要はない。
【００１７】
収容部１１０の側部には、図１に示したように、バンド部１２０が挿通する挿通部１１２が側方に突出して設けられている。挿通部１１２は、収容部１１０の側部を支点に屈曲する。挿通部１１２の屈曲により、収容部１１０がバンド部１２０に対して起立した状態と倒れた状態との間で揺動する。挿通部１１２は、補強部１１６と一体成型により構成してもよいし、別の部品で構成して補強部１１６に溶着してもよい。また、挿通部１１２は、ＰＶＣ素材で構成してもよいし、別の素材で構成してもよい。
【００１８】
収容部１１０の裏面には、図３に示したように、挿通部１１２とは反対側の側部に、バンド部１２０と接着するための、面ファスナー１１４が設けられている。収容部１１０が倒れた状態のときに、図２に示したように、面ファスナー１１４がバンド部１２０に接着して、収容部１１０は倒れた状態を維持することができる。
【００１９】
収容部１１０の上端には、収容部１１０の開口を塞ぎ、収容部１１０を密封するための密封部１３０が設けられている。密封部１３０は、一般的な防水製の携帯型電子機器用カバーに用いられているものを採用することができる。
【００２０】
（バンド部１２０）
バンド部１２０は、収容部１１０を腕３００に着脱自在に取付けるためのものである。バンド部１２０は、図１及び図２に示したように、収容部１１０の挿通部１１２を挿通している。バンド部１２０の表面は、面ファスナーのオスと接着するように構成されている。バンド部１２０の一方の先端の裏面には、図２に示したように、オスの面ファスナー１２２が設けられている。
【００２１】
よって、バンド部１２０を腕３００に装着するときに、腕３００に巻き付けられたバンド部１２０の表面に面ファスナー１２２が接着して、腕３００に固定される。収容部１１０が倒れた状態のときには、バンド部１２０の表面と収容部１１０の面ファスナー１１４とが接着して、収容部１１０がバンド部１２０に固定される。
【００２２】
以上、携帯型電子機器用カバー１００の構成について説明した。次に、携帯型電子機器用カバー１００を腕に取付けた状態について、図４〜図６を参照しながら説明する。図４は、倒れた状態で腕に取付けられた携帯型電子機器用カバーを示す図である。図５は、倒れた状態で腕に取付けられた携帯型電子機器用カバーを裏面側から見た図である。図６は、腕に取付けられた携帯型電子機器用カバーが起立した状態を示す図である。
【００２３】
携帯型電子機器用カバー１００を腕３００に装着するときは、図４に示したように、収容部１１０の面ファスナー１１４をバンド部１２０の表面に接着して、収容部１１０をバンド部１２０に固定する。収容部１１０を腕に密着させた状態で、図５に示したように、バンド部１２０を腕に巻き付ける。バンド部１２０の先端の面ファスナー１２２がバンド部１２０の表面に接着して、バンド部１２０が腕３００に固定される。よって、収容部１１０が腕３００に固定される。
【００２４】
スマートフォン２００で撮影するときには、図６に示したように、収容部１１０の面ファスナー１１４をバンド部１２０から剥がして、収容部１１０の面ファスナー１１４側の側部を移動可能な状態にする。そして、挿通部１１２側の側部を支点に収容部１１０を揺動させて起立させる。よって、図６（ａ）に示したように、スマートフォン２００の操作面２１０が露出しつつ、図６（ｂ）に示したように、収容部１１０内のスマートフォン２００のカメラのレンズ２２０が露出する。撮影は、携帯型電子機器用カバー１００を装着していないもう片方の手で収容部１１０を支えながら被写体の方向にレンズ２２０を向けて操作面２１０を操作することになるが、収容部１１０は挿通部１１２側の側部が腕３００に支持された状態であるため、片手でも容易に撮影することができる。
【００２５】
（第１の実施形態の効果）
以上説明したように、本実施形態によれば、収容部１１０に収容されたスマートフォン２００の姿勢をバンド部１２０に対して起立した状態と倒れた状態とに変更できるため、スマートフォン２００に使用したい姿勢をとらせることができる。収容部１１０が倒れた状態でスマートフォン２００の操作面２１０を露出させることができるので、通常のスマートフォン２００の操作を行うことができる。また、起立した状態で、スマートフォン２００の操作面２１０を露出させつつカメラのレンズ２２０も露出させることができるので、腕３００に取付けたまま操作面２１０を操作して撮影を行うことができる。このように、スマートフォン２００の機能に制限が加わることなく使用することが可能である。
【００２６】
また、収容部１１０は倒れた状態でバンド部１２０に固定されているため、腕３００を動かしても、収容部１１０が揺動することはなく、安心して使用することができる。また、収容部１１０が揺動して何かにぶつかることがないため、収容されているスマートフォン２００が破損したりすることを防止することができる。
【００２７】
また、バンド部１２０を面ファスナー１２２で固定するため、バンド部１２０の着脱が容易である。
【００２８】
（第２の実施形態）
第２の実施形態に係る携帯型電子機器用カバー４００の構成について、図７〜図９を参照しながら説明する。図７は、第２の実施形態の携帯型電子機器用カバーの全体図である。図８は、収容部を裏面側から見た図である。図９は、収容部にバンド部を取付けた状態を裏面側から見た図である。本実施形態の携帯型電子機器用カバー４００は、挿通部４１２が収容部４１０の背面に設けられている点が、上記第１の実施形態の携帯型電子機器用カバー４００と相違する点である。本実施形態では、上記第１の実施形態と異なる点を中心に説明する。実質的に同一の機能構成を有する構成要素については、同一の符号を付することにより重複説明を省略することがある。
【００２９】
本実施形態のバンド部４２０は、上記第１の実施形態のバンド部１２０に対応するため、説明を省略する。
【００３０】
収容部４１０は、図７及び図８に示しように、挿通部４１２が側部には設けられておらず、裏面４１０ｂに設けられている。挿通部４１２は、収容部４１０の裏面４１０ｂに帯状に設けられているベース部４１６上に設けられている。ベース部４１６は、収容部４１０の上下方向途中位置に両側部に渡って設けられており、ＰＶＣ素材で構成されていてもよく、他の素材で構成されていてもよい。ベース部４１６の一方の側端部には、挿通部４１２が設けられており、ベース部４１６の他方の側端部には、面ファスナー４１４が設けられている。挿通部４１２は、ＰＶＣ素材で構成してもよいし、別の素材で構成してもよい。
【００３１】
バンド部４２０は、図９に示したように、収容部４１０の裏面４１０ｂの挿通部４１２を挿通し、面ファスナー４１４に接着する。よって、収容部４１０がバンド部４２０に倒れた状態で固定される。収容部４１０の面ファスナー４１４をバンド部４２０から剥がして、挿通部４１２を支点に収容部４１０の面ファスナー４１４側の側端部を起き上がらせると、収容部４１０を起立させることができる。よって、第１の実施形態と同様に、スマートフォン２００のレンズ２２０を露出させることができ、撮影が可能になる。
【００３２】
（第２の実施形態の効果）
以上説明したように、本実施形態によれば、挿通部４１２を収容部４１０の裏面４１０ｂに設けたことにより、収容部の側部から挿通部が突出しなくなり、意匠性が向上する。
【００３３】
また、挿通部４１２が設けられるベース部４１６を、例えば、引っ張りやねじりの力に対して高強度の材質で構成することにより、バンド部４２０から加わる力により挿通部４１２が破損することを防止することができる。
【００３４】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００３５】
例えば、上記実施形態では、挿通部を支点として収容部を揺動させ、携帯型電子機器用カバーを装着していないもう片方の手で収容部１１０を支えながら操作する構成としたが、本発明はこの例に限定されない。例えば、収容部と挿通部との間に収容部が起立した際に自立できる構造を設けてもよい。また、収容部は複数の異なる角度で自立できるようにしてもよい。このようにすれば、スマートフォンを任意の角度で自立させて撮影することができる。
【００３６】
また、上記実施形態では、収容部にスマートフォンを収容したが、本発明はこの例に限定されず、収容部にはカメラやタブレット端末など様々な種類や大きさの携帯型電子機器を収容することができる。
【００３７】
また、上記実施形態では、収容部の一箇所にバンド部を１本取付けたが、本発明はこの例に限定されず、収容部はバンド部に対して起立した状態と倒れた状態との間で姿勢を変更可能であれば、複数個所に複数本のバンド部を設けてもよい。複数本のバンド部を設けることにより、腕などのように太さが連続して変化するような取付け対象にも確実に取り付けることができる。
【００３８】
また、上記実施形態では、収容部を介してスマートフォンを操作可能としたが、本発明はこの例に限定されず、操作時には収容部からスマートフォンを取り出して操作してもよい。
【００３９】
また、上記第１の実施形態では、収容部は倒れた状態でバンド部に固定される構成としてが、本発明はこの例に限定されず、例えば、収容部はバンド部に必ずしも固定されなくてもよい。
【００４０】
また、上記実施形態では、バンド部の端部を面ファスナーで固定したが、本発明はこの例に限定されず、バンド部が取付け対象に固定されれば任意の構成にすることができる。
【００４１】
上記実施形態、応用例、変形例は、任意に組み合わせて実施することができる。
【産業上の利用可能性】
【００４２】
本発明は、携帯型電子機器用カバーに利用可能である。
【符号の説明】
【００４３】
１００、４００  携帯型電子機器用カバー
１１０、４１０  収容部
１１０ａ  表面
１１０ｂ、４１０ｂ  裏面
１１２、４１２  挿通部
１１４、４１４  面ファスナー
１１６  補強部
１２０、４２０  バンド部
１２２  面ファスナー
１３０、  密封部
２００  スマートフォン
２１０  操作面
２２０  レンズ
３００  腕
４１６  ベース部
【図１】
2019216352.tif 000003
【図２】
2019216352.tif 000004
【図３】
2019216352.tif 000005
【図４】
2019216352.tif 000006
【図５】
2019216352.tif 000007
【図６】
2019216352.tif 000008
【図７】
2019216352.tif 000009
【図８】
2019216352.tif 000010
【図９】
2019216352.tif 000011